(57)【要約】【課題】ドライブレンド材料を吸引する際にこのドライブレンド材料に発生する静電気を除去して、当該ドライブレンド材料を滞留させることなく円滑に供給できること。【解決手段】コンパウンド台車１１に混合貯留されたコンパウンドペレットα、β、γなどを、ノズル１２、ホース１３及びパイプ１４を経て吸引してメインホッパ１６内へ導き、このメインホッパ内から押出機１８へ供給するドライブレンド材料の吸引供給装置１０において、メインホッパ１６の内表面に、表面電気抵抗値がメインホッパ１６よりも小さな放電用テープ１９が貼着して設けられたものである。【選択図】　　　図１
2004042416.tif 000002
【特許請求の範囲】
【請求項１】
材料貯留部に貯留されたドライブレンド材料を、管路を経て吸引してホッパ内へ導き、このホッパ内から所望機器へ供給するドライブレンド材料の吸引供給装置において、
上記管路と上記ホッパの少なくとも一方の内表面に、表面電気抵抗値が上記管路または上記ホッパよりも小さな放電促進部材が設けられたことを特徴とするドライブレンド材料の吸引供給装置。
【請求項２】
上記放電促進部材の表面電気抵抗値は、３．５５×１０−９Ω以下であることを特徴とする請求項１に記載のドライブレンド材料の吸引供給装置。
【請求項３】
上記放電促進部材はテープ形状であり、管路とホッパの少なくとも一方の内表面全体に貼着されたことを特徴とする請求項１または２に記載のドライブレンド材料の吸引供給装置。
【発明の詳細な説明】
【０００１】
【発明の属する技術分野】
本発明は、ドライブレンド材料の吸引供給装置にかかり、特に吸引時にドライブレンド材料に発生する静電気を除去するドライブレンド材料の吸引供給装置に関する。
【０００２】
【従来の技術】
ドライブレンド材料を吸引してホッパ内へ導き、押出機へ供給するドライブレンド材料の吸引供給装置では、吸引時に静電気が発生して帯電しやすいコンパウンドペレットが、上記ホッパ内表面に滞留してしまう場合がある。この場合、コンパウンドペレットを含むドライブレンド材料が適正な混合比で押出機へ供給されなくなるので、押出機から押し出される製品に混合むらが発生してしまう恐れがある。
【０００３】
また、従来のドライブレンド材料の吸引供給装置には、吸引時にコンパウンドペレットに発生する上記静電気を除去する静電気除去装置を装備したものがある。この静電気除去装置は、プラスイオンまたはマイナスイオンを発生させてホッパ内へ送り込み、これらのイオンによって、コンパウンドペレットに帯電された上記静電気を除去するものである。
【０００４】
また、従来の他のドライブレンド材料の吸引供給装置には、帯電しやすいコンパウンドペレットを含むドライブレンド材料を予め混練し、この混練により適正に配合されたドライブレンド材料をホッパを経て押出機へ供給するものなどがある。
【０００５】
【発明が解決しようとする課題】
ところが、静電気除去装置を備えたドライブレンド材料の吸引供給装置では、コストが上昇してしまい、しかも効果を高めるためには吸引供給装置全体を密閉構造としなければならない。
【０００６】
また、ドライブレンド材料を予め混練するドライブレンド材料の吸引供給装置では、混練費が上昇してしまう。
【０００７】
本発明の目的は、上述の事情を考慮してなされたものであり、ドライブレンド材料を吸引する際にこのドライブレンド材料に発生する静電気を除去して、当該ドライブレンド材料を滞留させることなく円滑に供給できるドライブレンド材料の吸引供給装置を提供することにある。また、本発明の他の目的は、コストの上昇を抑制できるドライブレンド材料の吸引供給装置を提供することにある。
【０００８】
【課題を解決するための手段】
請求項１に記載の発明は、材料貯留部に貯留されたドライブレンド材料を、管路を経て吸引してホッパ内へ導き、このホッパ内から所望機器へ供給するドライブレンド材料の吸引供給装置において、上記管路と上記ホッパの少なくとも一方の内表面に、表面電気抵抗値が上記管路または上記ホッパよりも小さな放電促進部材が設けられたことを特徴とするものである。
【０００９】
請求項２に記載の発明は、請求項１に記載の発明において、上記放電促進部材の表面電気抵抗値は、３．５５×１０−９Ω以下であることを特徴とするものである。
【００１０】
請求項３に記載の発明は、請求項１または２に記載の発明において、上記放電促進部材はテープ形状であり、管路とホッパの少なくとも一方の内表面全体に貼着されたことを特徴とするものである。
【００１１】
【発明の実施の形態】
以下、本発明の実施の形態を、図面に基づき説明する。
図１は、本発明に係るドライブレンド材料の吸引供給装置における一実施の形態を示す側面図である。
【００１２】
このドライブレンド材料の吸引供給装置１０は、ドライブレンド材料貯溜部としてのコンパウンド台車１１、管路としてのノズル１２、ホース１３及びパイプ１４、ローダ１５、並びにホッパとしてのメインホッパ１６及びサブホッパ１７を有して構成され、異種類のドライブレンド材料を混合して、所望機器としての押出機１８へ供給するものである。
【００１３】
上記コンパウンド台車１１には、ドライブレンド済材料としてのコンパウンドペレット（ベースポリマのペレットα、カラーバッチのペレットβ、シランのペレットγなど）が貯留され、このコンパウンドペレットα、β、γなどがローダ１５により吸引されて、ノズル１２、ホース１３及びパイプ１４を経てメインホッパ１６内へ投入される。このコンパウンド台車１１内に貯留されたコンパウンドペレットのうちカラーバッチのペレットβやシランのペレットγなどは、吸引時に静電気が発生しやすく帯電されやすい。このコンパウンドペレットβ、γは、メインホッパ１６またはサブホッパ１７内面に滞留してしまう。
【００１４】
ところで、上記メインホッパ１６はステンレス（ＳＵＳ３０４）製であり、このメインホッパ１６の内表面全体に、放電促進部材としての長尺状の放電用テープ１９が、隙間なく貼着されている。この放電用テープ１９は、例えば幅約３０ｍｍで厚さ約０．１ｍｍのテープであり、表面電気抵抗値がメインホッパ１６よりも小さな部材であって、アースされている。吸引時に発生する静電気により帯電したコンパウンドペレットβ、γは、メインホッパ１６内で放電用テープ１９に接触することにより放電され、メインホッパ１６内に滞留することが防止される。
【００１５】
放電用テープ１９の材質は、図２に示すように、固有電気抵抗値の小さな銀、銅、金、アルミニウム、ニッケル、チタン、ステンレスなどが想定されるが、加工性や価格の点から銅が最適である。
【００１６】
また、メインホッパ１６の内表面に貼着される放電用テープ１９の表面電気抵抗値は、
表面電気抵抗値［Ω］＝固有電気抵抗率［Ω／ｍ］×テープの厚さ［ｍ］／テープの貼着面積［ｍ２］…式（１）
にて規定される。例えば、メインホッパ１６の内表面（つまり放電用テープ１９の貼着面積）を０．４７ｍ２とし、放電用テープ１９を厚さ０．１ｍｍの銅製のテープとしたとき、メインホッパ１６の内表面全体に貼着された放電用テープ１９の表面電気抵抗値は、式（１）から３．５５×１０−９［Ω］となる。
【００１７】
ここで、メインホッパ１６（ＳＵＳ３０４製）の厚さが１．６ｍｍであり、内表面積が前述と同様に０．４７ｍ２あるとき、このメインホッパ１６の表面電気抵抗値は式（１）から２．６５×１０−６（Ω）となる。この表面電気抵抗値では、帯電されたコンパウンドペレットαがメインホッパ１６内で放電されず、このメインホッパ１６内に滞留してしまう。
【００１８】
従って、上記実施の形態によれば、次の効果▲１▼及び▲２▼を奏する。
【００１９】
▲１▼メインホッパ１６の内表面全体に、表面電気抵抗値がメインホッパ１６よりも小さな放電用テープ１９が貼着して設けられたことから、ローダ１５による吸引によってコンパウンドペレットβ、γに静電気が発生し、このコンパウンドペレットβ、γが帯電しても、このコンパウンドペレットβ、γがメインホッパ１６内の放電用テープ１９に接触したときに放電が実施される。この結果、コンパウンドペレットβ、γがメインホッパ１６内に滞留せず、異種類のドライブレンド材料α、β、γとともに円滑に押出機１９へ供給されるので、この押出機１９から押し出された製品に、例えば色むらなどの混合むらが生ずることを防止できる。
【００２０】
▲２▼メインホッパ１６の内表面に放電用テープ１９を貼着するだけであるため、静電気除去装置を設置したり、メインホッパ１６を用いずにドライレンド材料を予め混練しておく場合などに比べ、コストの上昇を抑制できる。
【００２１】
以上、本発明を上記実施の形態に基づいて説明したが、本発明はこれに限定されるものではない。例えば、コンパウンド台車１１、ノズル１２、ホース１３、パイプ１４及びローダ１５の内表面に、表面電気抵抗値の小さな放電用テープ１９を設けてもよい。
【００２２】
【発明の効果】
本発明に係るドライブレンド材料の吸引供給装置によれば、ドライブレンド材料を吸引する際にこのドライブレンド材料に発生する静電気を除去して、当該ドライブレンド材料を滞留させることなく円滑に供給できる。また、本発明に係るドライブレンド材料の吸引供給装置によれば、コストの上昇を抑制できる。
【図面の簡単な説明】
【図１】本発明に係るドライブレンド材料の吸引供給装置における一実施の形態を示す側面図である。
【図２】放電用テープの候補となる材料を示す図表である。
【符号の説明】
１０　ドライブレンド材料の吸引供給装置
１１　コンパウンド台車（材料滞留部）
１２　ノズル（配管）
１３　ホース（配管）
１４　パイプ（配管）
１５　ローダ
１６　メインホッパ
１８　押出機（所望機器）
１９　放電用テープ（放電促進部材）
α　コンパウンドペレット（ドライブレンド材料）
【図１】
2004042416.tif 000003
【図２】
2004042416.tif 000004